(57)【要約】【課題】生理用ショーツ等の吸収用パッドを装着した場合に、就寝時のおける液の後漏れ、横漏れを防止する。【解決手段】前身頃部２、後身頃部３、股部４を有する本体１と、上記本体１の外面側で、該本体１とは遊離させた状態で股部を押さえながら後身頃部３側に上方へ引き上げる帯状のテープを備え、該テープは前後両側を左右に分岐させてＶ字状に広げ、前側Ｖ字部１１となる上記一対のテープの前端を恥骨近傍の股部前端の左右両側位置で上記本体に縫着すると共に、後側Ｖ字部１２となる上記一対のテープの後端を後身頃部側ウエスト部の左右脇側に縫着し、上記前後分岐部に挟まれた一体部１３は上記股部の最下端のクロッチ点の後方位置から臀裂に沿って位置させる構成としている。【選択図】  図２
2004321589.tif 000002
【特許請求の範囲】
【請求項１】
前身頃部、後身頃部、股部を有する本体と、
上記本体の外面側で、該本体とは遊離させた状態で股部を押さえながら後身頃部側に上方へ引き上げる帯状のテープを備え、
上記テープは前後両側を左右に分岐させてＶ字状に広げ、前側Ｖ字部となる上記一対のテープの前端を恥骨近傍の股部前端の左右両側位置で上記本体に縫着すると共に、後側Ｖ字部となる上記一対のテープの後端を後身頃部側ウエスト部の左右脇側に縫着し、上記前後分岐部に挟まれる一体部は上記股部の最下端のクロッチ点の後方位置から臀裂に沿って位置させる構成としていることを特徴とする股部を有する衣類。
【請求項２】
前身頃部、後身頃部、股部を有する本体と、
上記本体の外面側で、該本体とは遊離させた状態で股部を押さえながら前後身頃部側で上方に引き上げる帯状のテープを備え、
上記テープは前後両側を左右に分岐させてＶ字状に広げ、前側Ｖ字部となる上記一対のテープの前端を前身頃部側ウエスト部の左右脇側位置近傍に縫着すると共に、後側Ｖ字部となる上記一対のテープの後端は後身頃部側ウエスト部の左右脇側位置に縫着し、上記前後分岐部に挟まれる一体部は上記股部の最下端のクロッチ点の後方位置から臀裂に沿って位置させる構成としていることを特徴とする股部を有する衣類。
【請求項３】
上記帯状のテープは左右一対の伸縮性テープからなり、上記一体部では左右一対のテープを重ねて縫着し、あるいは、
上記帯状のテープは１本の伸縮性テープからなり、前後両側の分岐点より幅方向の中央で分割して上記一対の分岐させたテープとし、
上記前後分岐させたテープの幅を０．５〜３ｃｍとしている請求項１または請求項２に記載の股部を有する衣類。
【請求項４】
上記テープ全長に対して上記一体部の長さは、３０〜５０％としている請求項１乃至請求項３のいずれか１項に記載の股部を有する衣類。
【請求項５】
上記後側Ｖ字部で挟まれた空間に当布を取り付けて左右のテープ布を連結すると共に、該当布の上端縁に沿って伸縮性テープを縫着し、該伸縮性テープの左右両端を本体のウエスト部の左右両側に縫着している請求項１乃至請求項４のいずれか１項に記載の股部を有する衣類。
【請求項６】
上記股部を有する衣類は生理用ショーツ、失禁用ショーツ、産褥用ショーツ、医療用ショーツからなり、該ショーツの本体の股部内部には尿、血液等の吸収用パッドが装着されるもので、該吸収用パッドを上記左右一対のテープにより股部に外方より押さえて位置決め保持すると共に、後身頃部側あるいは前後身頃部側の上方に引き上げ保持する構成としている請求項１乃至請求項５のいずれか１項の記載の股部を有する衣類。
【請求項７】
股部を有する衣類の外側に重ねて用いる衣類用アダプターであって、
伸縮性を有する環状のウエストテープと、該ウエストテープに両端を縫着する伸縮性のテープとを備え、該テープの前後両側を左右に分岐させてＶ字状に広げ、前側Ｖ字部および後側Ｖ字部を構成する一対のテープの両端を夫々上記ウエストテープの脇側部に縫着し、上記前後分岐部に挟まれた一体部は上記股部の最下端のクロッチ点の後方位置から臀裂に沿って位置させる構成としていることを特徴とする股部を有する衣類用アダプター。
【請求項８】
上記後側Ｖ字部で挟まれた空間に当布を取り付けて左右のテープ布を連結している請求項７に記載の衣類用アダプター。
【発明の詳細な説明】
【０００１】
【発明の属する技術分野】
本発明は、股部を有する衣類及び股部を有する衣類用アダプターに関し、特に、ショーツ内部にパッドを装着する生理用ショーツ、失禁用ショーツ、産褥用ショーツ、医療用ショーツ等として好適に用いられ、パッドのズレを発生させないように安定的に保持し、就寝時に発生しやすい液の後漏れ、横漏れを確実に防止できるようにするものである。
【０００２】
【従来の技術】
生理用ナプキンや産褥用パッド、医療用パッド、失禁用パッド等、血液や尿などの体液を吸収させて漏らさないために使用する吸収用パッドは、通常、生理用ショーツ、失禁用ショーツ等に装着して使用している。吸収用パッドは、その下面に予め貼着されている粘着テープを股部内面に取り付けられている防水布等に粘着させて股部に固定的に装着し、吸収用パッドから液が漏れた場合でも防水布により外部に漏れないようにしている。
【０００３】
しかしながら、上記のように吸収用パッドを粘着テープを介して股部の防水布あるいは股部の布に直接に固定しているだけである場合、衣類の股部が身体の股部よりズレると、吸収用パッドも身体の股部からズレることとなる。かつ、就寝時の寝返りや運動時には身体の動きと衣類の股部とが離れた状態となりやすく、よって、吸収用パッドも身体の股部からずれて隙間が生じ、この隙間から液が漏れ易い問題がある。
【０００４】
さらに、身体の股部は比較的平面的であるが、臀部側の左右膨出部に挟まれた臀裂はＶ形状の立体形状であるため、吸収用パッドは臀裂から浮いた状態となって隙間が発生している。よって、就寝時には、この隙間を通って、仰向き姿勢（仰臥時）では液の後漏れが発生しく、横向き姿勢では液の横漏れが発生し易い。
【０００５】
また、ショーツを臀裂に沿わせる形状としている場合は、立ち姿勢では、吸収用パッドも臀裂に沿わせ易くなるが、仰臥時には、臀部の膨出部が寝具に押し付けられてヒップの横幅が広がり、ショーツの臀裂に沿わせた部分も幅方向に引っ張られる。そのため、ショーツに粘着テープで固定される吸収用パッドも幅方向に引っ張られて臀裂から浮いた状態となり、臀裂と吸収用パッドとの間に隙間が生じて、液漏れ発生を防止することができない。
【０００６】
上記問題を解決するために、吸収用パッドを身体の股部に押圧させることで吸収用パッドと身体の密着性を高めて、液漏れを防ぐようにしたものが種々提案されている。
【０００７】
例えば、実用新案登録第３０４７１２６号公報（特許文献１）では、ショーツ本体の股部（クロッチ部）の内側にナプキンを保持する保持片を取り付け、該保持片とクロッチ部の間であって幅方向の中央部に、クロッチ部の長さより短いストレッチテープをクロッチ部の前端と後端に止着して配したサニタリーショーツが提案されている。該ショーツにナプキンを取り付けた場合には、ストレッチテープが前後方向に張力を有しているために、ナプキンを身体側に凸となった山折状に保持して、身体の股部にナプキンを押し付けて密着させることができる。
【０００８】
また、特開２００１−２４５９２９号公報（特許文献２）では、図１０に示す生理用ショーツ４０が提案されている。該生理用ショーツでは、ショーツ本体４１の前身頃部４２、股下部４４、後身頃部４３を伸縮性を有する布からなる吊り下げ部材４５で形成し、該吊り下げ部材４５の足回り部分に延出布を設けた形状とし、吊り下げ部材４５による張力でナプキンを上方へ吊り上げ、ナプキンを身体の股部に押圧して密着させる構成とされている。
【０００９】
【特許文献１】
実用新案登録第３０４７１２６号公報
【００１０】
【特許文献２】
特開２００１−２４５９２９号公報
【００１１】
【発明が解決しようとする課題】
しかしながら、特許文献１に開示されたサニタリーショーツでは、ストレッチテープの前後方向の両端部がクロッチ部の前端と後端に止着され、ストレッチテープの張力によってナプキンが押し付けられる位置はクロッチ部のみである。このため、臀部側へナプキンを押し付ける力はなく、仰臥時では臀裂を伝わる液漏れを防止できない。かつ、ストレッチテープをクロッチ部にのみ取り付けているため、クロッチ部自体が身体の股部から位置ズレした場合に、ナプキンが身体の股部よりズレる問題が解消されていない。
【００１２】
また、特許文献２に開示された生理用ショーツでは、ショーツ自体を伸縮性布で形成しているため、着用時における圧迫感を発生させ、就寝時には着心地の悪いものとなり、特に、失禁用、医療用、産褥用等に着用する場合には適さない場合が多い。かつ、立ち姿勢時には臀裂にナプキンをフィットさせることはできるものの、伸縮性布に延出布を取り付けているために、仰臥時には前記したショーツが横広がりになり、臀裂から浮き上がる。よって、ナプキンを臀裂に押し当てる力が弱く、臀裂とナプキンとの間に隙間が発生し液漏れを防止できない。
【００１３】
本発明は上記問題に鑑みてなされたものであり、就寝時においても、ナプキン等の吸収用パッドが身体の股部および臀裂に常に沿うように押し当てられ、後漏れや横漏れを発生を無くし、夜間用として好適に用いることができる生理用ショーツ等の股部を有する衣類および股部を有する衣類の外側に取り付けるアダプターを提供することを課題としている。
【００１４】
【課題を解決するための手段】
上記課題を解決するため、本発明は、第１に、前身頃部、後身頃部、股部を有する本体と、
上記本体の外面側で、該本体とは遊離させた状態で股部を押さえながら後身頃部側に上方へ引き上げる帯状のテープを備え、
上記テープは前後両側を左右に分岐させてＶ字状に広げ、前側Ｖ字部となる上記一対のテープの前端を恥骨近傍の股部前端の左右両側位置で上記本体に縫着すると共に、後側Ｖ字部となる上記一対のテープの後端を後身頃部側ウエスト部の左右脇側に縫着し、上記前後分岐部に挟まれる一体部は上記股部の最下端のクロッチ点の後方位置から臀裂に沿って位置させる構成としていることを特徴とする股部を有する衣類を提供している。
【００１５】
上記構成とすると、生理用ショーツ等の股部を有する衣類の本体の外側に、本体とは遊離した状態で帯状テープを略Ｔバック状に取り付けているため、衣類本体が多少位置ずれしても、股部から臀裂にかけて装着するナプキン等の吸収用パッドを帯状テープにより身体の股部及び臀裂に沿わせて山折り状態としてピッタリとフィットさせ、夜間就寝時に後漏れや横漏れの発生を防止できる。即ち、Ｔバック状に本体に取り付けた一対のテープがパッド用フィット材の役割を果たす。
特に、就寝時には、仰臥姿勢で就寝した場合にはショーツ等の本体が幅方向に伸びると共に、横向き姿勢で就寝した場合には下方へ引っ張られ、立ち姿勢とは異なる引っ張り力で臀裂部分を浮き上がらせる方向の力が作用しても、本体とは遊離させた帯状テープにより臀裂部分の浮き上がりは抑制され、吸収用パッドを身体の股部および臀裂にピッタリとフィットさせることができ、夜間時に心配な液の後漏れを発生させない。
【００１６】
また、前記前後分岐部に挟まれた一体部を股部の最下端のクロッチ点の後方位置から臀裂に沿って位置させ、該一体部の前後両側を左右にＶ字状に広げ、前側Ｖ字部となる上記一対のテープの前端を恥骨近傍の股部前端の左右両側位置で上記本体に縫着した構成であるため、一体部の前方、すなわち、クロッチ点より前側の股部においては、二股に分岐する２本のテープによって股部の幅方向両端部を押さえることができる。その結果、脚を動かして本体の股部に捻れが生じた場合でも、脚の付け根の形状に沿って股部両側で吸収用パッドを位置決めして押さえることができ、股部の側方からの横漏れを防止できる。
【００１７】
さらに、上記テープの一体部は股部の下端中心点（クロッチ点）から臀裂に沿わせて延在させているため、仰臥時に本体を臀裂から浮き上がらせる力が作用しても上記テープの一体部で本体を臀裂に沿わせるように規制する。その結果、吸収用パッドは臀裂に押し当てられて隙間が生じず、従来発生していた吸収用パッドと臀裂との隙間から生じる後漏れを確実に阻止することができる。
かつ、臀裂に沿わせる一体部は、臀裂の略上端位置近傍より左右にＶ字状に広げて後側Ｖ字部を形成し、該後側Ｖ字部のテープ後端を後身頃部の左右脇側に縫着しているため、一体部には上方に引き上げられる力が作用する。その結果、一体部で本体を臀裂へと付勢し、吸収用パッドを臀裂に押し当てて強い力で密着させ、後漏れおよび横漏れを発生を確実に防止できる。
【００１８】
本発明は、第２に、前身頃部、後身頃部、股部を有する本体と、該本体の外面側で、該本体とは遊離させた状態で股部を押さえながら前後身頃部側で上方に引き上げる帯状のテープを備え、
上記テープは前後両側を左右に分岐させてＶ字状に広げ、前側Ｖ字部となる上記一対のテープの前端を前身頃部側ウエスト部の左右脇側位置近傍に縫着すると共に、後側Ｖ文部となる上記一対のテープの後端は後身頃部側ウエスト部の左右脇側位置に縫着し、上記前後分岐部に挟まれた一体部は上記股部の最下端のクロッチ点の後方位置から臀裂に沿って位置させる構成としていることを特徴とする股部を有する衣類を提供している。
【００１９】
上記第２の発明の衣類は、前記第１の発明の衣類に対して、パッド用フィット材を構成するテープの前端を前身頃部側のウエスト部まで延在させ、該ウエスト部の左右脇側位置で縫着している点である。
上記構成とした場合、前側Ｖ字部のテープにより前身頃部側でも本体を上部に引き上げる作用が生じ、前後両側より股部を上方へ引き上げる力が働くため、吸収用パッドを股部および臀裂により確実にフィットさせることができる。他の作用効果は第１の発明と同様であるため、説明を省略する
【００２０】
上記帯状のテープは左右一対の伸縮性テープからなり、上記一体部では左右一対のテープを重ねて縫着している。あるいは、１本の伸縮性テープからなり、前後両側の分岐点より幅方向の中央で分割して上記一対の分岐させたテープとしている。
上記いずれの場合も、前後分岐させたテープの幅を０．５〜３ｃｍ、好ましくは１〜２ｃｍとしている。
上記のように細い幅の伸縮性テープを用いると、身体への圧迫感を減少できる。かつ、伸縮性を持たせているため、身体が動いた場合でもテープが伸縮することで無理なく、本体を股部および臀裂にフィットさせて、吸収用パッドを位置決め保持できる。
【００２１】
上記一体部の長さは、テープ全長に対して３０〜５０％としていることが好ましい。
即ち、テープの一体部を股部の最下点の後方位置から臀裂の上端位置まで位置させるには、テープの前端を股部の前端近傍に縫着する場合には、一体部はテープ全長の５０％程度となる。一方、テープの前端を前身頃部のウエスト部に縫着した場合には、一体部はテープ全長の３０％程度となる。
【００２２】
上記後側Ｖ字部で挟まれた空間に当布を取り付けて左右のテープを連結すると共に、該当布の上端縁に沿って伸縮性テープを縫着し、該伸縮性テープの左右両端を本体のウエスト部の左右両側に縫着していることが好ましい。
【００２３】
ショーツ等では背面側でウエストが垂れ下がりやすく、ウエスト自体が垂れ下がると、該ウエストに縫着したテープもずり下がることとなる。よって、テープの後側Ｖ字部の間に当布を取り付け、該当布の上端縁に沿って取り付けた伸縮性テープの両端のみを垂れ下がりにくいウエストの左右脇側に縫着することにより、本体の背面側中央部分がずり下がっても、後側Ｖ文部はずり下がらないように引き上げ力を補強している。よって、本体が背面側中央で多少垂れ下がってもテープの一体部は臀裂にフィットさせることができ、臀裂と吸収用パッドとの間に隙間が発生させず、液漏れをより確実に防止することができる。
【００２４】
本発明の股部を有する衣類は、生理用ショーツ、失禁用ショーツ、産褥用ショーツ、医療用ショーツ等からなり、該ショーツの本体の股部内部には尿、血液等の吸収用パッドが装着されるもので、該吸収用パッドを上記左右一対のテープにより股部に外方より押さえて位置決め保持すると共に、後身頃部側あるいは前後身頃部側の上方に引き上げ保持する構成からなるものである。
上記構成とすると、テープにより吸収用パッドを立姿勢時および仰臥時のいずれにおいても股部および臀裂と吸収用パッドとの間に隙間を発生させず、股部および臀裂にフィットさせることができるため、尿、血液等を確実に吸収用パッドで吸収することができる。
【００２５】
特に、失禁用パッド、産褥用パッド、医療用パッド等は通常老人や病人、あるいは出産直後の女性が使用するものであり、長時間、就寝姿勢で使用されるものである。従って、後漏れや横漏れが確実に防止できる本発明の股部を有する衣類は特に好適に用いることができる。
【００２６】
なお、本発明の股部を有する衣類は、上記ショーツ以外に、防水布を取り付けていない通常のパンツ、パンティストッキング、ガードル、ボディスーツ、レオタード、カルソン、スパッツ、水着、ブリーフ、トランクス等の女性用・男性用の下着にも適用することができる。
【００２７】
本発明は、第３に、股部を有する衣類の外側に重ねて用いる衣類用アダプター、即ち、パッド用フィット材の単体であって、伸縮性を有する環状のウエストテープと、該ウエストテープに両端を縫着するテープとを備え、該テープは前後両側を左右に分岐させてＶ字状に広げ、前側Ｖ字部および後側Ｖ字部を構成する上記一対のテープの両端を夫々上記ウエストテープの脇側部に縫着し、上記一体部は上記股部の最下端のクロッチ点の後方位置から臀裂に沿って位置させる構成としていることを特徴とする股部を有する衣類用アダプターを提供している。
上記アダプターにおいても、後側Ｖ字部で挟まれた空間に当布を取り付けてもよい。この当布を本体のウエストテープの左右両側に縫着しても良いし、当布の上端縁に沿って伸縮性テープを縫着し、該伸縮性テープの左右両端を本体のウエストテープの左右両側に縫着しても良い。
また、テープは前記衣類に用いる場合と同様に一対のテープから形成して一体部では重ねて縫着してもよいし、１本のテープを用い前後両側部を幅方向で分割してもよい。
【００２８】
上記アダプターは予めショーツ等の股部を有する衣類の後着用の付属品として提供しても良いし、アダプター単体で提供してもよい。
上記アダプターはパッド用フィット材の単体からなり、ウエストテープと該ウエストテープに両端を縫着するテープからなるテープ状部品であるため、安価に提供できる。このアダプターではウエストテープ部を備えているため、着用物が既に所有しているショーツに重ねて着用することもできる。
このアダプターでは、前記したテープからなるパッド用フィット材をショーツ本体に縫着した場合と同様に、特に、就寝時において、吸収用パッドを山折れ状態として臀裂にピッタリと密着させることができ、液の後漏れ、横漏れを確実に防止できる作用を付与することができる。
【００２９】
【発明の実施の形態】
以下、本発明の実施形態を図面を参照して説明する。
図１乃至図４に示す第１実施形態の股部を有する衣類は、女性用ショーツからなる。布製のショーツ本体１は、前身頃部２、後身頃部３、股部４からなり、前後身頃部２、３を構成する前身頃布と後身頃布を脇線で縫着し、前後布の下端を股部を形成するクロッチ布の前後と縫着し、前後身頃部２、３と股部４に囲まれた脚用開口５を設けている。
【００３０】
ショーツ本体１の外面には、パッド用フィット材１０を構成する２本のテープ８、９の両端のみを縫着し、ショーツ本体１とは遊離させて取り付けている。
上記一対のテープ８、９は、図３に示すように、夫々の１ｃｍ〜２ｃｍ幅の伸縮性を有するストレッチテープからなり、中間部を重ね合わせて縫着して細幅状の一体部１３を設け、一体部１３の前後両側を左右にＶ字状に広げ、分岐片１１ａと１１ｂとからなる前側Ｖ字部１１と、分岐片１２ａと１２ｂとからなる後側Ｖ字部１２とを形成している。
【００３１】
前側Ｖ字部１１の分岐片１１ａ，１１ｂの前端を恥骨近傍の股部４の前端４ａの左右両側位置でショーツ本体１と縫着している一方、後側Ｖ字部１２の分岐片１２ａ、１２ｂの後端を後身頃部側ウエスト部の左右脇側位置３ａ、３ｂに縫着している。一体部１３の前端Ａは股部４の最下端のクロッチ点Ｃの後方位置から臀裂に沿って位置させ、後端Ｂは臀裂の上端Ｄよりもやや上方に位置させ、臀裂の上端よりウエスト位置に向かって後側Ｖ字分１２が分岐する構成としている。
【００３２】
後側Ｖ字部１２の分岐片１２ａと１２ｂの間には略三角形状の当布１４を取り付け、該当布１４の左右両側縁をテープ８、９と縫着している。当布１４の上端に沿って伸縮性テープ１５を縫着し、該伸縮性テープ１５の両端および当布１４の両端をショーツ本体１のウエスト部の左右脇側に縫着している。
【００３３】
パッド用フィット材１０を構成する偏平状のテープ８、９は、図３に示すように、一体部１３の長さＬ１は、全長のＬ２に対して略５０％の長さの範囲になるように設定している。
【００３４】
上記パッド用フィット材１０は、ショーツ本体１の上端ウエスト位置に縫着した後端から股部４の前端に縫着した前端までの上下縦寸法をショーツ本体１の上下寸法より若干短くして、ショーツ本体１よりきつめに取り付けている。即ち、ショーツ本体１に取り付けた状態で平面に置くと、ショーツ本体１の後身頃部３は、パッド用フィット材１０の内側で上下寸法が制限されてしわがよる状態としている。
【００３５】
なお、ショーツ本体１の股部４の内面には防水布を付設していないが、防水布を付設した生理用ショーツとしてもよいことは言うまでもない。
【００３６】
上記生理用ショーツの使用方法を説明すると、図４に示すように、吸収用パッド（以下、ナプキン２０と称す）をショーツ本体１の股部４の内側に装着する。この状態で着用すると、パッド用フィット材１０はショーツ本体１よりもややきつめに取り付けているため、後身頃部３のウエスト位置の左右脇側位置に上端が縫着されたテープ８、９はショーツ本体１の後身頃部３を上方に引き上げ、ショーツ本体１の股部４及び臀裂に沿った部分では、ナプキン２０を身体の股部と臀裂に押し付ける。
【００３７】
詳細には、図４（Ｂ）に示すように、一体部１３が股部４のクロッチ点Ｃの後側位置から臀裂に沿って臀裂の上端まで位置して、ショーツ本体１を強く上方に引き上げられるため、ナプキン２０を山折り状態としてピッタリと臀裂に密着させることができる。
また、テープ８、９はストレッチテープからなるため、着用者の体型や挙動に応じて伸縮し、無理なくショーツ本体１の股部４および臀裂に沿う部分を押さえて、ナプキン２０を身体の股部および臀裂にフィットさせることができる。
【００３８】
特に、就寝時等に仰向けになると、臀部は下面に押し付けられて臀部の山部がつぶれ、膨出部は横に広がった状態になる。この状態ではショーツ本体１の後身頃部は膨出部の形状の変化に応じて幅方向に引っ張られることになる。其の際、後身頃部３において後側Ｖ字部１２は、後側Ｖ字部１２のテープ８、９の間に当布１４を取り付け、該当布１４の上縁の伸縮性テープ１５の左右両端およびテープ８、９の先端の両方をショーツ本体１の上端ウエスト部の左右脇側３ａ，３ｂに取り付けていることより、一体部１３を強い力で引き上げられる。よって、ショーツ本体１の後身頃部３が幅方向に引張られても、一体部１３でショーツ本体１の臀裂に当たる部分を幅方向に追従させず、臀裂に沿ってナプキン２０を山折れ状態に維持してピッタリと臀裂に密着させることができ、仰臥時に発生しやすい液の後漏れ、横漏れを防止することができる。
【００３９】
また、股部３のクロッチ点Ｃより前部側においては、図４（Ｃ）に示すように、前側Ｖ字部１１の２本の分岐片１１ａ，１１ｂによって脚の付け根の形状に沿ってナプキン２０の前部を押さえている。従って、脚を動かした際にショーツ本体１の股部４がねじれたり、よれたりして位置ずれが生じても、ナプキン２０の前部を確実にショーツ本体１の股部４の両側部を着用者の股にフィットさせることができる。よって、股部４においても、ナプキン２０が変形したり身体から離れることによって血液が横から漏れることを防止できる。
【００４０】
また、テープ８、９とショーツ本体１との縫着箇所はショーツ本体１の股部４の先端側側縁部３ａ，３ｂと、後身頃部３のウエスト部の左右脇側だけで、ショーツ本体と遊離させてフリーな状態であるため、ショーツ本体１の変形に従って引っ張られることはない。従って、ショーツ本体１の後身頃部３がずり下がっても、テープ８、９はずり下がることはなく、一体部１３でナプキン２０を位置ずれなく臀裂にフィットさせることができる。
【００４１】
なお、第１実施形態は女性用の生理用ショーツからなるが、股部を有する衣類であれば適用できる。例えば、図５に示すようなガードルにテープ８、９からなるパッド用フット材１０を取り付けてもよい。なお、図示以外の構成および作用効果は同一であるため、説明を省略する。
その他、ボディスーツ、レオタード、カルソン、スパッツ、パンテイストッキング、ブリーフ、トランクス等の女性用・男性用の下着等の股部を有する衣類全般にも適応できる。
【００４２】
図６は第２実施形態の生理用ショーツ２５を示す。
この第２実施形態では、パッド用フィット材１０’を構成するテープ８、９を前身頃部２側で、上端ウエスト位置まで延長し、ウエスト位置で左右脇線側で縫着している点を、第１実施形態と相違させている。
【００４３】
即ち、テープ８，９は第１実施形態よりも長くし、前側Ｖ字部１１の分岐片１１ａ，１１ｂを長くして、ショーツ本体１の前身頃部２の上端まで延長し、股部４には縫着せずに、各分岐片１１ａ，１１ｂの前端を前身頃部２のウエスト部の左右脇側位置２ａ，２ｂに縫着している。
テープ８，９を重ねて縫着する一体部１３および後側Ｖ字部１２の配置位置は第１実施形態と同一である。第２実施形態では、前側Ｖ字部１１を延長しているため、一体部１３の長さはテープ８、９の全長の約１５％程度となる。
その他の構成及び条件は上記第１実施形態と同様であるため説明を省略する。
【００４４】
第２実施形態の生理用ショーツ２５では、テープ８、９の前側Ｖ字部１１の両端をウエスト部の左右脇側位置に縫着しているため、前身頃部２側でも上方への引き上げ力があり、前後両側よりテープ８、９を上方へと引っ張る。
よって、第１実施形態の場合と同様に、背面側では臀裂に沿ってナプキンを山折り状態としてピッタリとフィットさせ、背面側において液の後漏れおよび横漏れを防止できる。また、股部のクロッチ点より前方側ではナプキンを足の付け根の形状に沿って固定することで、液の横漏れも防止できる。さらに、前身頃部でも前側Ｖ字部１１によりショーツ本体１を上方に引き上げるため、特に、股部前方側でのナプキンの固定が確実にできる。
【００４５】
上記第１、第２実施形態ではパット用フィット材１０，１０’として、いずれも一対のテープ８と９を用い、一体部で重ねて縫着しているが、図７に示すように、４ｃｍ程度の１本の伸縮性テープよりフィット材１０”を形成し、中間の一体部１３”の前後両側を幅方向の中央で分割させて、分岐片１１ａ”と１１ｂ”とからなる前側Ｖ字部１１”と、分岐片１２ａ”と１２”とからなる後側Ｖ字部１２”を設けてもよい。
【００４６】
図８は第３実施形態の衣類用のアダプター３０を示す。
該アダプター３０は、ショーツに縫着されておらず、ショーツの外側に重ねて着用するものである。
アダプター３０は、ストレッチテープを環状に形成したウエストテープ部３１と、このベルトの役割を果たすウエストテープ３１に両端を縫着した一対のテープ８’、９’とからなる。
【００４７】
テープ８’、９’は第２実施形態と同様とし、テープ８’と９’の中間部を重ね合わせて縫着して一体部１３’を設け、一体部１３’の前後両側を左右にＶ字状に広げ、前側Ｖ字部１１’と後側Ｖ字部１２’を形成している。
前側Ｖ字部１１’の上端をウエストテープ３１の前身頃側の左右脇側部に縫着し、後側Ｖ字部１２’の上端をウエストテープ３１の後身頃側の左右脇側部に縫着している。
【００４８】
上記アダプター３０をショーツ１’の外側に重ねて着用すると、一体部１３’の前端Ａは第１、第２実施形態と同様に、ショーツ１’の股部の最下端のクロッチ点Ｃの後方位置から臀裂に沿って位置され，後端Ｂは臀裂の上端Ｄよりもやや上方位置の位置される。
よって、アダプター３０は、第１、第２実施形態のパッド用フィット材１０と同様に、生理用ショーツの外側に重ねて着用すると、ナプキンを山折れ状態として臀裂に密着させることができ、仰臥時の後漏れや寝返りを打って横向きになった時の横漏れを防止できる。股部のクロッチ点から前部は前側Ｖ字部１１の２本のテープ８’、９’でナプキンの両側を押さえるため、仰臥時および立姿勢での横漏れを防止できる。
【００４９】
このアダプター３０はいずれもストレッチテープからなるウエストテープ部３１、テープ８’、９’から形成しているため、着用時には体伸張させて容易に着用でき、着用後には身体に沿うように収縮するため、アダプター３０は常に身体にフィットした状態で装着できる。
さらに、アダプター３０はショーツとは別体としているため、第１、第２実施形態の衣類を用意することなく、必要時に、既存の任意の衣類に重ねて着用することができる。また、３本のストレッチテープのみから形成しているため、安価に提供することが出来る。
【００５０】
第３実施形態では後側Ｖ字部１２’の間に当布を設けていないが、図９に示すように、第１実施形態と同様に当布を取り付けてもよい。
【００５１】
【発明の効果】
以上の説明より明らかなように、第１の本発明によれば、ストレッチテープからなるパッド用フィット材をショーツ等の股部を有する衣類の外面側にＴバック状に遊離させて取り付け、ショーツ本体を股部及び臀裂にフィットさせている。
よって、ショーツ等の本体の股部内面に生理用ナプキン等の吸収用パッドを装着した場合、股部のクロッチ点の後方位置から臀裂に沿った位置では、テープの一体部によりショーツを人体の股部および臀裂に押し付けることができる。よって、臀裂では吸収用パッドが山において吸収用パッドを人体にフィットさせて隙間なく装着でき、就寝時や病気で仰向けに寝ている時に液の後漏れや横漏れを確実に防止でき、特に、夜間使用の生理用ショーツとして好適なものとなる。
【００５２】
また、パッド用フィット材の前側Ｖ字部によって、クロッチ点の前部の左右両側で、脚の付け根の形状に沿ってショーツ本体を押さえることができる。よって、運動時や寝返り時に脚が動いて股部が変形しても、確実に股部内面に装着している吸収用パッドを身体の股部にフィットさせることができ、股部における横漏れも確実に防止できる。
さらに、幅０．５ｃｍから３ｃｍの細い伸縮性テープによりパッド用フィット材を形成した場合には、身体への圧迫感がなく、体の動きによる体形の変化に応じてテープが伸縮し、寝返りや運動をしている場合でも、吸収用パッドからの液漏れを防止できる。
【００５３】
第２の本発明では、ショーツ等の股部を有する衣類とは別体に、パッド用フィット材からなるアダプターを設けているため、既存のショーツに外側に重ねて着用できる。この場合も、第１の発明と同様にストレッチテープの張力によってショーツ等の衣類の股部及び臀裂に当たる部分を身体にフィットさせることで、ショーツの股部内面に吸収用パッドを装着した時、液漏れ、特に、就寝時の仰向き、横向き姿勢での背面からの後漏れや、横漏れを防止することができる。
【図面の簡単な説明】
【図１】第１実施形態の股部を有する衣類としての生理用ショーツを示し、（Ａ）は正面図、（Ｂ）は背面図である
【図２】生理用ショーツの展開図である。
【図３】テープを示す図面である。
【図４】第１実施形態の使用状態を説明する図面であって、（Ａ）は正面側から見た斜視図、（Ｂ）は背面側から見た斜視図、（Ｃ）は底面側から見た斜視図である。
【図５】第１実施形態の変形例のガードルを示し、（Ａ）は正面側から見た斜視図、（Ｂ）は背面側から見た斜視図である。
【図６】第２実施形態を示し、（Ａ）は正面側から見た斜視図、（Ｂ）は背面側から見た斜視図である。
【図７】テープの変形例を示す図面である。
【図８】第３実施形態のアダプターを示し、（Ａ）は正面側から見た斜視図、（Ｂ）は背面側から見た斜視図である。
【図９】第３実施形態の変形例を示す図面である。
【図１０】従来例の生理用ショーツを示し、（Ａ）は正面図、（Ｂ）は背面図である。
【符号の説明】
１  ショーツ本体
２  前身頃部
３  後身頃部
４  股部
８．９  テープ
１０  パッド用フィット材
１１  前側Ｖ字部
１２  後側Ｖ字部
１３  一体部
１４  当布
１５  伸縮性テープ
３０  アダプター
３１  ウエストテープ
【図１】
2004321589.tif 000003
【図２】
2004321589.tif 000004
【図３】
2004321589.tif 000005
【図４】
2004321589.tif 000006
【図５】
2004321589.tif 000007
【図６】
2004321589.tif 000008
【図７】
2004321589.tif 000009
【図８】
2004321589.tif 000010
【図９】
2004321589.tif 000011
【図１０】
2004321589.tif 000012